(57)【要約】組成物でのアルカリ金属石鹸類の全重量に基づいて、（ｉ）２０〜８０重量％のＣ8〜Ｃ24直鎖脂肪酸類のアルカリ金属石鹸、及び（ii）２０〜８０重量％のＣ8〜Ｃ24分岐脂肪酸類のアルカリ金属石鹸の混合物の組成物を６０〜９９重量％の範囲で含んでいる石鹸組成物。石鹸組成物は、通常石鹸に存在する、いかなる追加の安定剤類、防腐剤類又はキレート剤類を含む要求を伴わず、色相並びに臭気安定性を示す。【特許請求の範囲】
【請求項１】
組成物でのアルカリ金属石鹸類の全重量に基づいて、（ｉ）２０〜８０重量％のＣ8〜Ｃ24直鎖脂肪酸類のアルカリ金属石鹸、及び（ii）２０〜８０重量％のＣ8〜Ｃ24分岐脂肪酸類のアルカリ金属石鹸の混合物の組成物を６０〜９９重量％の範囲で含んでなる石鹸組成物。
【請求項２】
２５〜７５重量％のＣ8〜Ｃ24、好ましくはＣ12〜Ｃ22直鎖脂肪酸類のアルカリ金属石鹸を含んでなる、請求項１に記載された石鹸組成物。
【請求項３】
２５〜７５重量％のＣ8〜Ｃ24、好ましくはＣ12〜Ｃ22分岐鎖脂肪酸類のアルカリ金属石鹸を含んでなる、請求項１又は２に記載された石鹸組成物。
【請求項４】
アルカリ金属石鹸の直鎖脂肪酸類は、８０重量％を超えるＣ12〜Ｃ18脂肪酸類を含む事を特徴とする、請求項１〜３のいずれか１項に記載された石鹸組成物。
【請求項５】
アルカリ金属石鹸の直鎖脂肪酸類は、５５〜９０重量％の範囲のＣ16〜Ｃ18脂肪酸類を含む事を特徴とする、請求項１〜４のいずれか１項に記載された石鹸組成物。
【請求項６】
アルカリ金属石鹸の分岐鎖脂肪酸類は、７０重量％を超えるＣ16〜Ｃ22脂肪酸類を含む事を特徴とする、請求項１〜５のいずれか１項に記載された石鹸組成物。
【請求項７】
分岐鎖脂肪酸類は、イソステアリン酸を含む事を特徴とする、請求項１〜６のいずれか１項に記載された石鹸組成物。
【請求項８】
直鎖脂肪酸類は、パーム核油及びパーム油から取り出される事を特徴とする、請求項１〜７のいずれか１項に記載された石鹸組成物。
【請求項９】
組成物でのアルカリ金属石鹸類の全重量に基づいて、１０重量％未満の不飽和脂肪酸類のアルカリ金属石鹸を含んでなる、請求項１〜８のいずれか１項に記載された石鹸組成物。
【請求項１０】
追加の安定剤及び／又は防腐剤及び／又はキレート剤を実質上含んでない、請求項１〜９のいずれか１項に記載された石鹸組成物。
【請求項１１】
５０％を超える色相安定性を有する、請求項１〜１０のいずれか１項に記載された石鹸組成物。
【請求項１２】
５０％を超える臭気安定性を有する、請求項１〜１１のいずれか１項に記載された石鹸組成物。
【請求項１３】
タブレット状又は棒状石鹸の形態である、請求項１〜１２のいずれか１項に記載された石鹸組成物。
【請求項１４】
組成物でのアルカリ金属石鹸類の全重量に基づいて、（ｉ）２０〜８０重量％のＣ8〜Ｃ24直鎖脂肪酸類のアルカリ金属石鹸、及び（ii）２０〜８０重量％のＣ8〜Ｃ24分岐脂肪酸類のアルカリ金属石鹸の混合物の組成物を７０〜９５重量％の範囲で含む石鹸組成物を押出す事を含む棒状又はタブレット状石鹸を作るプロセス。
【請求項１５】
次の組成範囲（ａ）〜（ｅ）：
（ａ）組成物でのアルカリ金属石鹸類の全重量に基づいて、（ｉ）２０〜８０重量％のＣ8〜Ｃ24直鎖脂肪酸類のアルカリ金属石鹸、及び（ii）２０〜８０重量％のＣ8〜Ｃ24分岐脂肪酸類のアルカリ金属石鹸の混合物を７０〜９５重量％、
（ｂ）遊離脂肪酸類を０〜５重量％、
（ｃ）塩を０．１〜１重量％、及び
（ｄ）水を５〜２０重量％、及び
（ｅ）ポリオールを０．１〜２重量％
で含んでなる、タブレット状又は棒状石鹸。
【請求項１６】
次の項目（ｉ）〜（iv）：
（ｉ）５〜２５ｇ／５０cm2の範囲の総マッシュ価、
（ii）６０〜１５０mlの範囲の泡立て容積、
（iii ）７０〜９５％の範囲の色相安定性、及び
（iv）７０％を超える臭気安定性
の少なくとも一種以上、好ましくは全てを有する、請求項１５に記載されたタブレット状又は棒状石鹸。
【請求項１７】
石鹸組成物の色相安定性及び／又は臭気安定性及び／又は泡立ち容積を向上させる為のＣ8〜Ｃ24分岐脂肪酸類のアルカリ金属石鹸の使用。
【請求項１８】
石鹸組成物で要求される安定剤及び／又は防腐剤及び／又はキレート剤の量を低減する為のＣ8〜Ｃ24分岐脂肪酸類のアルカリ金属石鹸の使用。
【発明の詳細な説明】
【技術分野】
【０００１】
本発明は、石鹸組成物、及び特に分岐脂肪酸類の石鹸を含む石鹸組成物に関する。
【背景技術】
【０００２】
棒状石鹸類又はタブレット状石鹸類、特にパーソナル洗浄用のタブレット状化粧石鹸類を作る為に用いられる、広範囲の石鹸組成物は、当技術分野で周知である。石鹸組成物が貯蔵及び使用に於いて十分な安定性を有する為に、石鹸組成物は、一般に、一種以上の防腐剤類、酸化防止剤類又はキレート剤類を含んでいる。残念ながら、石鹸類でのその様な材料の使用は、鋭敏化（sensitization）、及び、特に生物分解性（biodegradability）不足により、廃水汚染などのある種の問題を引き起こし得る。
【発明の開示】
【発明が解決しようとする課題】
【０００３】
石鹸組成物又はタブレット状石鹸は、石鹸の使用寿命間中での、泡立つ（lather）能力、所望の硬度（型打ちにふさわしい）、マッシュ（mush）での減少（水中に放置された時の軟化）、心地のよい肌の感触、及び心地のよい臭気（odour）並びに外観などの、多くの特性を有する様に要求される。特に防腐剤類、酸化防止剤類及び／又はキレート剤類の量が低減された（又は実質上全くない）石鹸組成物に於いて、前述の特性の全て又は大部分を有する石鹸組成物を得る事は、難しいと思われる。
【０００４】
米国特許第５，９６２，３８２号明細書（US-5962382-A）は、ナトリウム並びにトリエタノールアミン脂肪酸石鹸類、トリエタノールアミン助溶剤（co-solvent）、イソステアリン酸及び酸化防止剤の混合物を含んでいる透明な棒状石鹸を対象にする。イソステアリン酸は、石鹸の透明度を向上させる為に用いられる。
米国特許第４，８３９，０８０号明細書（US-4839080-A）は、ヨウ素を含む抗菌性の石鹸組成物を対象にする。
【課題を解決するための手段】
【０００５】
前述の問題の少なくとも一つを克服する又は大幅に低減する石鹸組成物が、今意外にも発見されている。
【０００６】
従って、本発明は、組成物でのアルカリ金属石鹸類の全重量に基づいて、（ｉ）２０〜８０重量％のＣ8〜Ｃ24直鎖脂肪酸類のアルカリ金属石鹸、及び（ii）２０〜８０重量％のＣ8〜Ｃ24分岐脂肪酸類のアルカリ金属石鹸の混合物の組成物を６０〜９９重量％の範囲で含む石鹸組成物を、提供する。
【０００７】
本発明は、組成物でのアルカリ金属石鹸類の全重量に基づいて、（ｉ）２０〜８０重量％のＣ8〜Ｃ24直鎖脂肪酸類のアルカリ金属石鹸、及び（ii）２０〜８０重量％のＣ8〜Ｃ24分岐脂肪酸類のアルカリ金属石鹸の混合物の組成物を７０〜９５重量％の範囲で含む石鹸組成物を押出す（extrude）事を含む棒状又はタブレット状石鹸を作るプロセスも、提供する。
【０００８】
本発明は、次の組成範囲（ａ）〜（ｅ）：
（ａ）組成物でのアルカリ金属石鹸類の全重量に基づいて、（ｉ）２０〜８０重量％のＣ8〜Ｃ24直鎖脂肪酸類のアルカリ金属石鹸、及び（ii）２０〜８０重量％のＣ8〜Ｃ24分岐脂肪酸類のアルカリ金属石鹸の混合物を７０〜９５重量％、
（ｂ）遊離脂肪酸類を０〜５重量％、
（ｃ）塩を０．１〜１重量％、
（ｄ）水を５〜２０重量％、
（ｅ）ポリオールを０．１〜２重量％
で含むタブレット状又は棒状石鹸を、更に提供する。
【０００９】
本発明は、石鹸組成物の色相安定性及び／又は臭気安定性及び／又は泡立ち容積を向上させる為に、Ｃ8〜Ｃ24分岐脂肪酸類のアルカリ金属石鹸の使用を、更に提供する。
【００１０】
本発明は、石鹸組成物で要求される安定剤及び／又は防腐剤及び／又はキレート剤の量を低減する為に、Ｃ8〜Ｃ24分岐脂肪酸類のアルカリ金属石鹸の使用も、なおより一層提供する。
【００１１】
本発明に準じた石鹸組成物は、不透明、半透明又は透明であってよく、そして、好ましくは不透明である。「不透明な」は、光の透過を阻止する特性を有する事を意味し、その結果、不透明石鹸の後ろにある物体は、見られ得ない。[透明な」は、相当の散乱を伴わず光を透過させる特性を有する事を意味し、その結果、透明石鹸の後ろにある物体は、完全に目に見え、そして容易に識別され得る。「半透明な」は、光が部分的に又は散漫に通り抜ける事を可能にする特性を有する事を意味し、その結果、半透明なタブレット状石鹸の後ろにある物体は、はっきりと見分けられ得ない（それ故に、部分的な透明又は半−透明とも呼ばれる）。当然、透過光の量は、石鹸の厚みに依存し、そして、本文脈（context）では、２０mm厚の石鹸が、標準として用いられた。
【００１２】
本発明に準じた石鹸組成物は、脂肪酸類（直鎖並びに分岐脂肪酸類の組み合わせ）のアルカリ金属石鹸を、組成物での全重量に基づいて、好ましくは６５〜９７重量％、より好ましくは７０〜９５重量％、特に８０〜９２％、そしてとりわけ８５〜９０重量％の範囲で含む。
【００１３】
石鹸組成物は、Ｃ8〜Ｃ24、好ましくはＣ12〜Ｃ22直鎖又はリニア脂肪酸類のアルカリ金属石鹸を、組成物でのアルカリ金属石鹸類の全重量に基づいて、好ましくは２５〜７５重量％、より好ましくは３０〜７０重量％、特に３５〜６５重量％、そしてとりわけ４０〜６０重量％の範囲で含み、そして、Ｃ8〜Ｃ24、好ましくはＣ12〜Ｃ22分岐脂肪酸類のアルカリ金属石鹸も、組成物でのアルカリ金属石鹸類の全重量に基づいて、好ましくは２５〜７５重量％、より好ましくは３０〜７０重量％、特に３５〜６５重量％、そしてとりわけ４０〜６０重量％の範囲で含む。
【００１４】
アルカリ金属石鹸の直鎖脂肪酸類は、Ｃ12〜Ｃ18脂肪酸類を、好ましくは７０重量％を超えて、より好ましくは８０重量％を超えて、特に９０重量％を超えて、そしてとりわけ９５重量％を超えて、及び１００重量％迄含み、そして、Ｃ16〜Ｃ18脂肪酸類を、好ましくは５０重量％を超えて、より好ましくは５５〜９０重量％、特に６０〜８０重量％、そしてとりわけ６５〜７５重量％の範囲で、更に含む。
【００１５】
アルカリ金属石鹸の分岐鎖脂肪酸類は、Ｃ16〜Ｃ22脂肪酸類を、好ましくは７０重量％を超えて、より好ましくは８０重量％を超えて、特に９０重量％を超えて、そしてとりわけ９５重量％を超えて、及び１００重量％迄含み、そして、Ｃ18脂肪酸類を、好ましくは５０重量％を超えて、より好ましくは６０〜９０重量％、特に６５〜８５重量％、そしてとりわけ７０〜８０重量％の範囲で、更に含む。
【００１６】
アルカリ金属石鹸の分岐鎖脂肪酸類は、平均で、好ましくは５未満、より好ましくは３未満、特に１．０５〜２、そしてとりわけ１．１〜１．５の範囲の炭素原子を有するアルキル側枝（side branch）（最も長い直鎖の炭素原子に直接付着する）を含む。即ち、側枝は、主にメチル基である。本発明の好ましい実施態様に於いて、数で、５０％を超える、より好ましくは６０％を超える、特に７０〜９７％、そしてとりわけ８０〜９３％の範囲の側枝基は、メチル基である。
【００１７】
更に好ましい実施態様に於いて、数で、３０％を超える、より好ましくは４０％を超える、特に４５〜９０％、そしてとりわけ５０〜８０％の範囲のアルカリ金属石鹸の分岐鎖脂肪酸類は、単一のメチル側枝を含んでいる。
【００１８】
本明細書に於いて使用にふさわしい、脂肪酸類は、例えば、植物又は動物エステル類（例えば、パーム油、菜種油、パーム核油、ココナッツ油、ババス油、大豆油、ヒマシ油、獣油、鯨又は魚油、グリース、ラード、及びそれらの混合物）などの自然源から得られ得る。脂肪酸類は、例えば「Fatty Acids in Industry」, Ed Robert W Johnson, Earl Fritz, Marcel Dekker Inc, 1989 ISBN 0-8247-7672-0に記述される様な、合成によっても作られ得る。トール油に存在する様な、樹脂酸類は、使用されてよい。ナフテン酸類も、ふさわしい。
【００１９】
本発明に準じた石鹸組成物のアルカリ金属直鎖脂肪酸成分の少なくとも一部分は、好ましくはパーム核油、ココナッツ油、ババス核油（babassu kernel oil）、パーム油、獣油、及び／又はラードから；より好ましくはパーム核油、及び／又はココナッツ油から；そして特にパーム核油から取り出される。本発明の一つの好ましい実施態様に於いて、アルカリ金属直鎖脂肪酸類は、パーム核油とパーム油の混合物から取り出される。
【００２０】
本発明での使用に於けるふさわしい分岐鎖脂肪酸類は、イソステアリン酸、イソパルミチン酸、イソミリスチン酸、イソアラキン酸及びイソベヘン酸などのイソ−酸類；ネオデカン酸の様なネオ酸類；及び２−エチルヘキサン酸の様な他の酸類を含む。市販されてる材料Prisorine 3501, 3502及び3505（商標、Uniqemaから）などの、イソステアリン酸は、好ましい。
【００２１】
ナトリウム並びにカリウム石鹸などの、アルカリ金属石鹸類は、油脂類の直接鹸化により、又は個々の製造プロセスで作られる遊離脂肪酸類の中和により作られ得る。ナトリウム石鹸は、本発明に於いて特に好ましく、しかし、カリウム石鹸、マグネシウム石鹸、アンモニウム石鹸及び／又はアルカノールアミン石鹸、そして特にカリウム石鹸などの、非ナトリウム石鹸類も、少量で、適切には１０重量％未満、好ましくは８重量％未満、より好ましくは５重量％未満、そして特に１重量％未満で、存在してよい。本発明の特に好ましい実施態様に於いて、石鹸組成物は、カリウム石鹸を実質上含まない。
【００２２】
本発明の好ましい実施態様に於いて、アルカリ金属石鹸の脂肪酸類は、組成物でのアルカリ金属石鹸類の全重量に基づいて、適切には１０重量％未満、好ましくは５重量％未満、より好ましくは３重量％未満、特に２重量％未満、そしてとりわけ１．５重量％未満の不飽和脂肪酸類を含む。この事は、適切には、鹸化前に脂肪酸類を水素化する事により、成し遂げられる。
【００２３】
アルカリ金属石鹸の脂肪酸類は、適切には１５未満、好ましくは１０未満、より好ましくは０．１〜７、特に０．３〜５、そしてとりわけ０．５〜２ｇヨウ素／１００ｇの範囲のヨウ素価（本明細書で記述される様に測定される）を有している。
【００２４】
アルカリ金属石鹸の脂肪酸類は、適切には２５０未満、好ましくは１８０〜２３０、より好ましくは２００〜２２５、特に２１０〜２２０、そしてとりわけ２０５〜２２０mgＫＯＨ／ｇの酸価（本明細書で記述される様に測定される）を有している。
【００２５】
アルカリ金属石鹸の脂肪酸類は、適切には２５０未満、好ましくは１８０〜２３０、より好ましくは２００〜２２５、特に２１０〜２２０、そしてとりわけ２０５〜２２０mgＫＯＨ／ｇの鹸化価（本明細書で記述される様に測定される）を有している。
【００２６】
本発明の特に好ましい実施態様に於いて、アルカリ金属石鹸の脂肪酸類の酸価及び鹸化価の間での差は、好ましくは１０未満、より好ましくは５未満、特に３未満、そしてとりわけ２mgＫＯＨ／ｇ未満である。
【００２７】
石鹸組成物は、少量の（minor amount）一種以上の合成又はノンソープ洗浄剤類も含んでよい。尚、それらは、陰イオン、ノンイオン、両性イオン又は陽イオン系のもの、あるいはそれらの混合物でよい。ノンソープ洗浄剤は、組成物の全重量に基づいて、好ましくは２５重量％未満、より好ましくは１５重量％未満、特に１０重量％未満、そしてとりわけ５重量％未満である。本発明の特に好ましい実施様態に於いて、石鹸組成物は、ノンソープ洗浄剤を実質上含まない。
【００２８】
ふさわしいノンソープ洗浄剤類は、
（ｉ）Ｃ10〜Ｃ22アルキルベンゼンスルホン酸塩類；オレフィンスルホン酸塩類；Ｃ10〜Ｃ20パラフィンスルホン酸塩類；Ｃ8〜Ｃ22脂肪アシルサルコシン酸塩類；Ｃ8〜Ｃ22脂肪アシルイセチオン酸塩類並びにＣ8〜Ｃ22脂肪アシルＮ−メチルタウリド（tauride）類；Ｃ8〜Ｃ22脂肪酸アルカノールアミド類；Ｃ8〜Ｃ20アルキル硫酸塩類、及びソディウムラウリルエーテルサルフェートの様な、２〜５の炭素原子を有する１〜２０モルのアルキレンオキシドとＣ8〜Ｃ20飽和直鎖又は分岐鎖脂肪族一価アルコールの反応生成物のサルフェートエステル類などの、アルキルアリールスルホン酸塩類の様な陰イオン洗浄剤類
（ii）Ｃ8〜Ｃ20第一級又は第二級アルカノール類、二価アルコール類と１〜５０モルのＣ2〜Ｃ4アルキレンオキシドの反応生成物類、及び類似の物などのノンイオン洗浄剤類
（iii ）アルキル−β−イミノジプロピネート類、及びイミダゾリニウムベタイン類の様な、長鎖イミダゾール誘導体類などの両性イオン洗浄剤類、及び
（iv）ステアリルジメチルベンジルアンモニウムクロライドの様な、四級アンモニウム化合物類、及び類似の物などの陽イオン洗浄剤類
を含む。
【００２９】
本発明に準じた石鹸組成物での水の濃度は、組成物の全重量に基づいて、好ましくは１〜２５重量％、より好ましくは５〜２０重量％、特に８〜１５重量％、そしてとりわけ１０〜１３重量％の範囲にある。
【００３０】
本発明に準じた石鹸組成物は、実際の石鹸成分の中和された脂肪酸類に加えて、遊離脂肪酸類も含んでよい。好ましい遊離脂肪酸類は、上記で明確にされた、同タイプの脂肪酸類である。尚、それらは、石鹸成分を形成する為に用いられ、そして、それ故に、一般には、８〜２４の炭素原子を含んでいる。石鹸組成物は、遊離脂肪酸類を、組成物の全重量に基づいて、適切には０〜１０重量％、好ましくは０〜５重量％、より好ましくは０．５〜５重量％、特に０．５〜２重量％、そしてとりわけ０．５〜１重量％の範囲で含む。遊離脂肪酸類の存在は、肌での石鹸組成物の優しさ（mildness）並びに加脂肪（refatting）特性を改善し得る。
【００３１】
石鹸組成物は、塩、特に塩化ナトリウムを、組成物の全重量に基づいて、適切には２重量％未満、好ましくは１．５重量％未満、より好ましくは０．１〜１重量％、特に０．２〜０．８重量％、そしてとりわけ０．３〜０．７重量％の範囲で含む。
【００３２】
石鹸組成物は、ポリオール類又は多価アルコール類も含んでよい。ポリオール類は、もし透明又は半透明石鹸製品が要求されるならば、通常は、比較的に高濃度で含まれる。透明又は半透明石鹸組成物でのポリオールの濃度は、組成物の全重量に基づいて、好ましくは５〜２０重量％、より好ましくは８〜１８重量％、特に１０〜１６重量％、そしてとりわけ１２〜１４重量％の範囲である。
【００３３】
ポリオールの分子量は、好ましくは３００未満、より好ましくは５０〜２７０、特に８０〜２２０、そしてとりわけ９０〜２００である。
【００３４】
ふさわしいポリオール類は、ソルビトール、マンニトールなどの糖アルコール類；（ポリ）エチレングリコール、（ポリ）プロピレングリコールなどの（ポリ）グリコール類；トリメチロールプロパン、トリメチロールエタン、及びグリセリンなどの３〜６のヒドロキシル基を含む他のＣ3〜Ｃ6ポリオール類を含む。糖アルコール類、特にソルビトールは、好ましい。任意の二種以上の前述の材料の混合物、好ましくは糖アルコール、特にソルビトール、及びグリセリンを含む混合物も、用いられてよい。糖アルコールの濃度は、組成物の全重量に基づいて、好ましくは１〜１０重量％、より好ましくは３〜８重量％、特に４〜７重量％、そしてとりわけ５〜６重量％の範囲にあり、そして、グリセリンの濃度は、組成物の全重量に基づいて、好ましくは１〜１５重量％、より好ましくは３〜１２重量％、特に５〜１０重量％、そしてとりわけ６〜８重量％の範囲にある。
【００３５】
本発明に準じた不透明石鹸組成物に於いて、ポリオール、好ましくはグリセリンの濃度は、組成物の全重量に基づいて、好ましくは５重量％未満、より好ましくは０．１〜２重量％、特に０．５〜１．５重量％、そしてとりわけ０．８〜１．２重量％の範囲にある。
【００３６】
石鹸組成物が貯蔵及び／又は使用での所望の安定性（例えば色相安定性、臭気安定性）を有する為に、一種以上の追加の安定剤類；及び／又は防腐剤類、例えばトコフェロール、ＢＨＡ、ＢＨＴ及び類似の物などの、酸価防止剤類；及び／又はＥＤＴＡ（エチレンジアミン四酢酸の四ナトリウム塩）、ＥＨＤＰ（１−ヒドロキシエチリデンビスホスホン酸四ナトリウム塩（tetra sodium(1-hydroxyethylidene)bisphosphonate））及び類似の物などの、キレート剤類を、０．５重量％迄、通常は０．０５〜０．１重量％の範囲で混和する（incorporate）事は、通用の習わしである。
【００３７】
本発明の特に意外な特徴は、所望の安定性が上述の材料のいかなる物の添加をもする事なく成し遂げられ得る事、である。従って、本発明に準じた石鹸組成物は、追加の安定剤及び／又は防腐剤及び／又はキレート剤を、適切には０．５％未満、好ましくは０．１％未満、より好ましくは０．０１％未満、特に０．００１％未満含み、そしてとりわけ実質上含んではいない。前述の範囲は、特に、ＥＤＴＡ及び／又はＥＨＤＰに適用できる。
【００３８】
本発明に準じた石鹸組成物は、好ましくは５０％を超える、より好ましくは６０％を超える、特に７０〜９５％、そしてとりわけ７５〜９０％の範囲の色相安定性（又は％保持白色度）（本明細書で記述される様に測定される）を有している。
【００３９】
石鹸組成物は、好ましくは５０％を超える、より好ましくは７０％を超える、特に８０％を超える、そしてとりわけ９０〜１００％の範囲の臭気安定性（本明細書で記述される様に測定される）を有している。
【００４０】
併せて、石鹸組成物は、適切には３０未満、好ましくは５〜２５、より好ましくは５〜１５、特に８〜１２、そしてとりわけ６〜１２ｇ／５０cm2の範囲の総マッシュ価（本明細書で記述される様に測定される）を有している。
【００４１】
本発明のもう一つの意外な特徴は、石鹸組成物は向上した泡立ちを示し、好ましくは３０を超える、より好ましくは５０〜２００、特に６０〜１５０、そしてとりわけ８０〜１４０mlの範囲の泡立ち容積（本明細書で記述される様に測定される）を有している事、である。
【００４２】
石鹸組成物は、有効量の他の材料又は機能性添加剤類も含んでよい。ふさわしい機能性添加剤類は、香料類；ポリグリセリンエステル類、例えばポリグリセリンモノステアレートの様な乳化剤類；着色剤類；消臭剤類；染料類；二量体化脂肪酸類、ラノリン、コールドクリーム、鉱物油、ソルビタンエステル類、ミリスチン酸イソプロピルなどの、皮膚軟化剤類並びにスキンコンディショナー類；酵素類；気泡安定剤類；泡立て剤類；保湿剤類；蛍光増白剤類；染料類；真珠光沢化剤類（pearlescer）；過脂肪剤類；ＵＶ吸収剤類；及び任意の二種以上のそれら材料の混合物を、含む。機能性添加剤類は、所望の機能特性を達成する為に、任意の所望量で用いられてよく、そして、通常は、組成物の全重量に基づいて、０．０１〜５重量％の範囲の少量が、用いられる。例えば、存在する場合は、（ｉ）皮膚軟化剤類並びにスキンコンディションニング剤類は、一般に、組成物の全重量に基づいて、０．５〜約５重量％の範囲に含み、そして、（ii）香料類、染料類及び着色剤類は、組成物の全重量に基づいて、０．２〜約５重量％の範囲に含む。
【００４３】
本発明に準じた石鹸組成物は、当技術分野で周知の方法により、フレーク類（flake）、ヌードル類（noodle）、ペレット類（pellet）、あるいは任意の他のふさわしいフォーム（form）又はシェイプ（shape）に変換されてよい。変換された石鹸組成物は、好ましくはヌードル類の形態で、少なくとも５分間融合器（amalgamator）中で、香料類、着色剤類及び他の機能性添加剤類などの、他の成分と混合され得る。得られた混合物は、好ましくはゆっくりと出され（plod）又は押出され、より好ましくは無端の棒状混合物になされ、切断後ビレット類（billet）になされ、最終のタブレット状石鹸に型打ちされ得る。
【実施例】
【００４４】
本発明は、以下の限定されない実施例により明らかにされる。
【００４５】
以下の試験方法が、用いられた。
（ｉ）色相
色相安定性は、表面の反射色を測定する為のコンパクトな三刺激値カラーアナライザー（Minolta Chroma meter type CR-300）を用いて、判断された。混合チャンバーにパルス・キセノン・アークランプが、サンプル表面の照明を提供した。CIE Standard Observer Responseにマッチする様にフィルター処理された、６個の高感度シリコンフォトセルが、入射光及び反射光の双方を測定する為に、計測器のダブル・ビーム・フィードバック・システムにより用いられた。従って、測定器は、パルス・キセノン・アークランプによる光のアウトプットでのいかなる僅かな偏位（deviation）も検出し、そして自動的に補正する。Hunter Lab値（Ｌ、ａ、及びｂ）を含む、絶対測定が、表示された。これらの値から、白色度（whiteness Index）が、以下の式を用いて計算された。
白色度＝（Ｌ−３ｂ）
タブレット状石鹸の白色度は、５０℃オーブン中で１６日間の加熱処理前後で、判断され、そして、白色度での差異が、加熱処理後の保持された白色度の％として計算された。
％保持白色度：５０〜７０％      まあまあ（moderate）
７０〜８０％      良好
＞８０％      優れた
【００４６】
（ii）臭気
臭気安定性は、以下の方法に準じて１０人の感覚パネル（sensory panel）を用いて、評価された。１２５ｇの石鹸組成物が、茶色の２５０mlのScott Duranボトルに置かれた。ボトルは、密栓され、そして５０℃で１６日間オーブン中に置かれた。次いで、ボトルが、開栓され、そして、臭気が、以下のスケールを用いて、石鹸を室温に冷却後評価された。
１．無臭（neutral）（酸敗臭無し）（１００％臭気安定（ＯＳ））
２．微量の酸敗臭（９０％ＯＳ）
３．僅かに酸敗臭がある（７５％ＯＳ）
４．明らかに酸敗臭がある（中間量）（５０％ＯＳ）
５．強い酸敗臭がある（０％ＯＳ）
平均％の臭気安定性値が、少なくとも３ボトルの感覚パネル評価から計算された。
【００４７】
（iii ）マッシュ
マッシュは、２時間２０℃の脱塩水中にタブレット状石鹸の輪郭がはっきりした（well defined）部分（概算重量＝４５ｇ、及び概算表面積＝７０cm2）を浸す事により、判断された。浸漬前に、石鹸ブロックの重量が測定された（＝Ｗ1）。水から取り出した後、１分間過剰の水を石鹸ブロックから滴り落ちさせ、そして、石鹸ブロックの重量が再度測定された（＝Ｗ2）。マッシュの全てが、プラスチック製のスパチュラで石鹸ブロックから削り取られ、そして、石鹸ブロックが再度再秤量された（＝Ｗ3）。マッシュの量は、３つの異なるパラメーターで示される。尚、それらは、以下の式に準じて計算された（５０cm2の浸漬表面積に基づいて）。
総マッシュ＝（Ｗ2−Ｗ3）×５０／浸漬面積
水摂取（Water uptake）＝（Ｗ1−Ｗ2）×５０／浸漬面積
マッシュされた（mushed）石鹸＝（Ｗ1−Ｗ3）×５０／浸漬面積
総マッシュは、棒状石鹸が水と接触する時、スライム（slime）生成に対する耐性を測定する。水摂取並びにマッシュされた石鹸量は、マッシュのストラクチャー（structure）の測定を示す。
総マッシュ：＜１０ｇ／５０cm2＝優れた
１１〜１５ｇ／５０cm2＝良好
＞１５ｇ／５０cm2＝まあまあ
【００４８】
（iv）泡立ち
泡立ち容積が、ノーマルな消費者性向に密に近い手洗い方法を用いる事により測定された。試験は、タルクを取り除く為に濯ぎ落された外科医の使い捨てゴム手袋を用いて行われた。試験されるタブレット状石鹸（概算重量＝８５ｇ、寸法８cm×５．５cm×２．５cm（クッションモデル（cushion model））が、試験前に、略１４℃の流水で２０回石鹸を１８０°ねじ曲げる事により、１０分間洗浄された。次いで、タブレット状石鹸が、２０℃の水に浸され、１５回１８０°ねじ曲げられ、次いで石鹸置に戻された。次いで、泡立ちが、一方の手の指先をもう一方の手のひらに対して１０回擦る事により生み出された。できる限りたくさんの泡立ちが、一方の手をもう一方の手で交互に握り、そして指先に向かって押出す事により、手から取り除かれた。集まった泡立ちが、１０ml間隔で目盛り付きの１５０mlビーカーに入れられた。全手順が２回繰り返され、そして、泡立ちの総容積が泡立ち容積として記録された。泡立ち容積を測定する前に、泡立ちは、大きなエアーポケットを抜く為に穏やかにかき回された。試験は、同組成物から作られた３個の異なるタブレット状石鹸を用いて、３回行われた。泡立ち容積が、３回の結果の平均値として計算された。
泡立ち容積：＞１００ml＝優れた
５０〜１００ml＝良好
＜５０ml＝まあまあ
【００４９】
（ｖ）磨耗率
泡立ち容積試験に用いられたタブレット状石鹸が、試験前後で秤量された。試験後の秤量は、石鹸が少なくとも２４時間室温（略２３℃）で乾燥した後、行われた。重さの差が、磨耗率として記録され、そしてグラムで示された。
磨耗率：＜３ｇ＝優れた
３〜５ｇ＝良好
＞５ｇ＝まあまあ
【００５０】
（vi）硬度
付属のウェイトを有する「チーズワイヤー」（cheese wire）が、平衡位置に到達する迄、タブレット状石鹸のコーナーに切り込まれた。その全面に力が作用する面積は、カットの深さが増すにつれ、増し、それ故に、及ぼされる応力は、それが石鹸の抵抗により正確にバランスを保てられ、そして、ワイヤーが動きを止める迄、減少する。上記ポイントでの応力は、石鹸の降伏応力に等しい。このポイントに到達するのに要した時間は、６０秒であった。この後、ウェイトは取り除かれ、そして、カットの長さが測定された。降伏応力が、以下の半−経験式から計算された。
降伏応力＝３／８（Ｗ×９８．１）／（Ｌ×Ｄ）  Ｎ／ｍ2
ここで、Ｌ並びにＤは、cm単位でのカットの長さ並びにワイヤーの直径である。Ｗは、カットする為にワイヤーに付加された重さであり、グラム単位で示される。
硬度：＞７×１０5Ｎ／ｍ2＝ハード
＞４×１０5Ｎ／ｍ2、＜７×１０5Ｎ／ｍ2＝まあまあ
＜４×１０5Ｎ／ｍ2＝ソフト
硬度は、温度並びに水分含有量に強く依存し、それ故に、測定は、温度並びに水分の条件を厳しくコントロールされた下（本試験では、２３℃並びに６０％相対湿度。）で行われる必要がある。
【００５１】
（vii ）ヨウ素価
ヨウ素価が、Wijs法（A.O.C.S. Official Method Tg 1-64(1993)）により判断され、そして定義された試験条件下で１００ｇのサンプルにより吸収されたヨウ素のグラム数として示された。
【００５２】
（viii）酸価
酸価が、A.O.C.S. Official method Te 1a-64（Reapproved 1997）を用いて判断され、１ｇのサンプルでの遊離脂肪酸類を中和するのに要する水酸化カリウムのミリグラム数として示された。
【００５３】
（ix）鹸化価
鹸化価が、A.O.C.S. Official method Tl 1a-64（1997）を用いて判断され、所定の条件下で１ｇのサンプルと反応する水酸化カリウムのミリグラム数として定義された。
【００５４】
実施例１
１７．５重量％の水素化、トップド（topped）パーム核油脂肪酸のナトリウム石鹸、２１重量％の硬化パーム油脂肪酸のナトリウム石鹸、４９重量％のイソステアリン脂肪酸のナトリウム石鹸（Prisorine 3505（商標、Uniqemaから））、１２重量％の水、０．３重量％のグリセリン及び０．４重量％塩化ナトリウムを含んでいる石鹸組成物が、調合された。組成物は、組成物でのアルカリ金属石鹸類の全重量に基づいて、４９重量％のＣ12〜Ｃ22直鎖脂肪酸類のアルカリ金属石鹸；及び５０重量％のＣ12〜Ｃ22分岐脂肪酸類のアルカリ金属石鹸を含んでいた。９６重量％のアルカリ金属石鹸の直鎖脂肪酸類は、Ｃ12〜Ｃ18脂肪酸類（６９％Ｃ16〜Ｃ18）であり、そして、９９重量％のアルカリ金属石鹸の分岐鎖脂肪酸類は、Ｃ16〜Ｃ22脂肪酸類（７６％Ｃ18）であった。石鹸組成物は、通常石鹸に存在する、いかなる追加の安定剤類、防腐剤類又はキレート剤類を含んでいなかった。
【００５５】
石鹸組成物が、１mmの精製ふるいを有しそして円錐状の出口端に４５mm×１９mmの四角の押出しダイスを備える、実験室用のMazzoni M-100デュープレックス・リファイナー／プロッダー（duplex refiner/plodder）を４回通された。シリンダー温度が、２５℃にセットされ、そして、コーン温度は５７℃であった。プロッダー・スクリューの速さが、１３rpmに固定された。タブレット状石鹸が、プロッダーを４パッセージ（passage）後に、製造された石鹸組成物から作られた。
【００５６】
実施例２
１５重量％の水素化、トップドパーム核油脂肪酸のナトリウム石鹸、３９重量％の硬化パーム油脂肪酸のナトリウム石鹸、３３．４重量％のイソステアリン脂肪酸のナトリウム石鹸、１１重量％の水、１重量％のグリセリン及び０．６重量％の塩化ナトリウムを含んでいる石鹸組成物が調合された事を除き、実施例１の手順が繰り返された。組成物は、組成物でのアルカリ金属石鹸類の全重量に基づいて、６１．７重量％のＣ12〜Ｃ22直鎖脂肪酸類のアルカリ金属石鹸；及び３８．７重量％のＣ12〜Ｃ22分岐脂肪酸類のアルカリ金属石鹸を含んでいた。石鹸組成物は、通常石鹸に存在する、いかなる追加の安定剤類、防腐剤類又はキレート剤類を含んでいなかった。石鹸組成物から作られたタブレット状石鹸が、本明細書に記述された試験手順に適用された。そして、結果が表１に示される。
【００５７】
実施例３
１５重量％の水素化、トップドパーム核油脂肪酸のナトリウム石鹸、４４重量％の硬化パーム油脂肪酸のナトリウム石鹸、２８．１重量％のイソステアリン脂肪酸のナトリウム石鹸、１１重量％の水、１重量％のグリセリン、０．６重量％の塩化ナトリウム、及び０．４重量％の遊離脂肪酸類を含んでいる石鹸組成物が調合された事を除き、実施例１の手順が繰り返された。組成物は、組成物でのアルカリ金属石鹸類の全重量に基づいて、６８重量％のＣ12〜Ｃ22直鎖脂肪酸類のアルカリ金属石鹸；及び３２重量％のＣ12〜Ｃ22分岐脂肪酸類のアルカリ金属石鹸を含んでいた。石鹸組成物は、通常石鹸に存在する、いかなる追加の安定剤類、防腐剤類又はキレート剤類を含んでいなかった。石鹸組成物から作られたタブレット状石鹸が、本明細書に記述された試験手順に適用された。そして、結果が表１に示される。
【００５８】
実施例４
本例は、本発明に準じない比較例である。脂肪酸類が植物性石鹸を作り出す為通例用いられる標準の脂肪酸ブレンドにより置き換えられた事、及び１７．５重量％のトップドパーム核油脂肪酸のナトリウム石鹸、７０重量％のパーム油脂肪酸のナトリウム石鹸、１２重量％の水、０．３重量％のグリセリン、及び０．４重量％の塩化ナトリウムを含んでいる事を除き、実施例１の手順が繰り返された。石鹸組成物は、通常石鹸に存在する、いかなる追加の安定剤類、防腐剤類又はキレート剤類を含んでいなかった。石鹸組成物から作られたタブレット状石鹸が、本明細書に記述された試験手順に適用された。そして、結果が表１に示される。
【００５９】
【表１】
2006503150.tif 000002
【００６０】
上記実施例は、本発明に準じた石鹸組成物の向上した特性を明らかにする。
【国際調査報告】
2006503150.tif 000003
2006503150.tif 000004
2006503150.tif 000005
2006503150.tif 000006
2006503150.tif 000007